(57)【要約】【課題】  異なる大きさの記録紙がセットされているときに、需要の少ない記録紙で印刷するようにユーザを促し、需要の高い記録紙と需要の低い記録紙の残量バランスを均一にする。【解決手段】  画像データが入力され、操作者に対して、上記画像データを印刷する記録紙の選択指示を告知し、告知に応じて記録紙の選択指示が入力され、記録紙として上記第１の記録紙が選択されたかを判断し、第１の記録紙が選択されたとき、第１のプリンタのセットされた第１の記録紙の残量データを検出し、この残量データが所定値データより小さいかを判断し、残量データが所定値データより小さいとき、第２の記録紙で印刷を行うことの許可を操作者に対して求め、第２の記録紙で印刷を行う許可データが入力されたかを判断し、第２の記録紙での印刷が許可されたとき、第２のプリンタを駆動し、第２の記録紙に入力された画像データを印刷する。【選択図】  図３
2006051605.tif 000002
【特許請求の範囲】
【請求項１】
印刷する画像データが入力される入力手段と、
第１の記録紙に上記入力手段より入力された画像データを印刷する第１のプリンタと、
上記第１の記録紙と大きさの異なる第２の記録紙に上記入力手段より入力された画像データを印刷する第２のプリンタと、
上記第１のプリンタのセットされた第１の記録紙の残量データを検出し、この残量データが所定値データより小さいかを判断する判断手段と、
操作者に対して、上記画像データを印刷する記録紙の選択指示を告知する告知手段と、
上記告知手段での告知に応じて記録紙の選択指示を入力する指示手段と、
上記第１のプリンタと上記第２のプリンタを切り換える切換手段とを備え、
上記判断手段は、上記入力手段より画像データが入力され、記録紙として、上記第１の記録紙を選択する選択データが入力されたとき、上記第１の記録紙の残量データが上記所定値データ以下かを判断し、
上記告知手段は、この残量データが所定値データ以下のとき、上記第２の記録紙で印刷を行うことの許可を操作者に対して求める告知を行い、
上記切換手段は、上記指示手段より上記第２の記録紙で印刷を行うことの許可データが入力されたとき、上記第２のプリンタを駆動し、上記第２の記録紙に、上記入力手段より入力された画像データを印刷することを特徴とする印刷装置。
【請求項２】
上記所定値データは、０データを含むことを特徴とする請求項１記載の印刷装置。
【請求項３】
更に、画像データを印刷する際に課金処理を行う課金処理手段を備え、
上記課金処理手段は、上記第１の記録紙を選択した選択データが入力されたにもかかわらず、上記第２の記録紙に印刷を行うとき、割引処理を行うことを特徴とする請求項１記載の印刷装置。
【請求項４】
上記第１の記録紙を選択した選択データが入力されたにもかかわらず、上記第２の記録紙に印刷を行うとき、上記第２のプリンタは、上記第１の記録紙用の大きさの画像データを上記第２の記録紙に印刷し、上記第２の記録紙の余白部分に、付加データを印刷することを特徴とする請求項１記載の印刷装置。
【請求項５】
上記第２の記録紙は、上記第１の記録紙と一辺が同じであって他辺が上記第１の記録紙の整数倍の大きさであることを特徴とする請求項１記載の印刷装置。
【請求項６】
印刷する画像データが入力される入力手段と、第１の記録紙に上記入力手段より入力された画像データを印刷する第１のプリンタと、上記第１の記録紙と大きさの異なる第２の記録紙に上記入力手段より入力された画像データを印刷する第２のプリンタと、操作者に対して、上記画像データを印刷する記録紙の選択指示を告知する告知手段と、上記告知手段での告知に応じて記録紙の選択指示を入力する指示手段とを備える印刷装置の印刷方法において、
上記入力手段より画像データが入力されるステップと、
上記告知手段で、操作者に対して、上記画像データを印刷する記録紙の選択指示を告知するステップと、
上記指示手段より上記告知手段での告知に応じて記録紙の選択指示が入力されるステップと、
記録紙として上記第１の記録紙が選択されたかを判断するステップと、
上記第１の記録紙が選択されたとき、上記第１のプリンタのセットされた第１の記録紙の残量データを検出し、この残量データが所定値データ以下かをを判断するステップと、
上記残量データが所定値データ以下のとき、上記第２の記録紙で印刷を行うことの許可を操作者に対して求めるステップと、
上記指示手段より上記第２の記録紙で印刷を行う許可データが入力されたかを判断するステップと、
上記第２の記録紙での印刷が許可されたとき、上記第２のプリンタを駆動し、上記第２の記録紙に、上記入力手段より入力された画像データを印刷するステップとを有する印刷方法。
【請求項７】
上記所定値データは、０データを含むことを特徴とする請求項６記載の印刷方法。
【請求項８】
更に、上記第１の記録紙を選択した選択データが入力されたにもかかわらず、上記第２の記録紙に印刷を行うとき、割引処理を行うステップを有することを特徴とする請求項６記載の印刷方法。
【請求項９】
上記第１の記録紙を選択した選択データが入力されたにもかかわらず、上記第２の記録紙に印刷を行うとき、上記第２のプリンタよって、上記第１の記録紙用の大きさの画像データを上記第２の記録紙に印刷し、上記第２の記録紙の余白部分に、付加データを印刷するステップを有することを特徴とする請求項６記載の印刷方法。
【請求項１０】
上記第２の記録紙は、上記第１の記録紙と一辺が同じであって他辺が上記第１の記録紙の整数倍の大きさであることを特徴とする請求項６記載の印刷方法。
【発明の詳細な説明】
【技術分野】
【０００１】
本発明は、記録媒体等から入力された写真等の画像データを印刷するキオスク端末等に適用可能な印刷装置及び印刷方法に関する。
【背景技術】
【０００２】
従来より、画像データを印刷することができるプリント自動サービス装置は、所望の画像データが記録された記録媒体が挿入され、所定金額の硬貨が投入されると、この記録媒体に記録された画像データが読み出され、次いで、表示手段に読み出した画像データを表示し、ユーザにより選択された画像データをプリンタにより印刷する。このプリント自動サービス装置によれば、ユーザは、所望の写真をその場で印刷することができる。
【０００３】
この種のプリント自動サービス装置に関連する技術として、下記特許文献１や特許文献２に記載された技術がある。特許文献１には、プリンタ切替え手段の使用するプリンタを配分して複数枚の画像を複数台のプリンタで並行してプリントし、所要時間を大幅に短縮すると共に、複数台数のプリンタを平均して稼動するようにし、全プリンタのメンテナンスを一括して行う技術が記載されている。また、特許文献２には、消耗資材やプリンタの状態を検出手段によって識別させ、送受信手段を介して管理センターで消耗資材やプリンタの状態を把握することができる技術が記載されている。これにより、異常状態が生じた場合には、即座に管理センターが対応処理を行うことができ、長期に亘る販売中止状態が発生しないようにすることができる。
【０００４】
すなわち、特許文献１及び特許文献２は、複数のプリンタを用いることで、システムの用紙切れができるだけ長く発生しないようにし、更に、プリンタの状態を監視して、メンテナンスを迅速に行うことができるようにし、サービス中断時間を最小限にする考え方が記載されている。
【０００５】
システムに、複数のプリンタを配設し、プリンタ毎に異なる大きさの記録紙をセットした場合、必ず需要の高い大きさの記録紙と需要の低い記録紙とに分かれる。したがって、需要の少ない記録紙がセットされたプリンタのメンテナンスが未だ不要であっても、需要の大きい記録紙がセットされたプリンタが用紙切れとなったときには、サービスを中止してメンテナンスを行う必要が生じる。
【０００６】
【特許文献１】特開２００１−４２４５１号公報
【特許文献２】特開２００１−１６０１７３号公報
【発明の開示】
【発明が解決しようとする課題】
【０００７】
本発明は、以上のような問題点に鑑みてなされたものであり、異なる大きさの記録紙がセットされているときに、需要の少ない記録紙で印刷するようにユーザを促し、需要の高い記録紙と需要の低い記録紙の残量バランスを均一にして、メンテナンスを行うまでの期間を長くし、メンテナンスの回数を減らし稼働率を向上させることができる印刷装置及び印刷方法を提供することを目的とする。
【課題を解決するための手段】
【０００８】
本発明に係る印刷装置は、印刷する画像データが入力される入力手段と、第１の記録紙に上記入力手段より入力された画像データを印刷する第１のプリンタと、上記第１の記録紙と大きさの異なる第２の記録紙に上記入力手段より入力された画像データを印刷する第２のプリンタと、上記第１のプリンタのセットされた第１の記録紙の残量データを検出し、この残量データが所定値データより小さいかを判断する判断手段と、操作者に対して、上記画像データを印刷する記録紙の選択指示を告知する告知手段と、上記告知手段での告知に応じて記録紙の選択指示を入力する指示手段と、上記第１のプリンタと上記第２のプリンタを切り換える切換手段とを備える。上記判断手段は、上記入力手段より画像データが入力され、記録紙として、上記第１の記録紙を選択する選択データが入力されたとき、上記第１の記録紙の残量データが上記所定値データ以下かを判断し、次いで、上記告知手段は、この残量データが所定値データ以下のとき、上記第２の記録紙で印刷を行うことの許可を操作者に対して求める告知を行い、次いで、上記切換手段は、上記指示手段より上記第２の記録紙で印刷を行うことの許可データが入力されたとき、上記第２のプリンタを駆動し、上記第２の記録紙に、上記入力手段より入力された画像データを印刷する。
【０００９】
本発明に係る印刷方法は、印刷する画像データが入力される入力手段と、第１の記録紙に上記入力手段より入力された画像データを印刷する第１のプリンタと、上記第１の記録紙と大きさの異なる第２の記録紙に上記入力手段より入力された画像データを印刷する第２のプリンタと、操作者に対して、上記画像データを印刷する記録紙の選択指示を告知する告知手段と、上記告知手段での告知に応じて記録紙の選択指示を入力する指示手段とを備える印刷装置の印刷方法において、上記入力手段より画像データが入力されるステップと、上記告知手段で、操作者に対して、上記画像データを印刷する記録紙の選択指示を告知するステップと、上記指示手段より上記告知手段での告知に応じて記録紙の選択指示が入力されるステップと、記録紙として上記第１の記録紙が選択されたかを判断するステップと、上記第１の記録紙が選択されたとき、上記第１のプリンタのセットされた第１の記録紙の残量データを検出し、この残量データが所定値データ以下かをを判断するステップと、上記残量データが所定値データ以下のとき、上記第２の記録紙で印刷を行うことの許可を操作者に対して求めるステップと、上記指示手段より上記第２の記録紙で印刷を行う許可データが入力されたかを判断するステップと、上記第２の記録紙での印刷が許可されたとき、上記第２のプリンタを駆動し、上記第２の記録紙に、上記入力手段より入力された画像データを印刷するステップとを有する。
【発明の効果】
【００１０】
本発明によれば、第１の記録紙が残り少なくなったとき又は残りが無くなったとき、第２の記録紙に印刷するようにユーザに対し、第２の記録紙の需要を大きくすることができることから、メンテナンスを行うための間隔を長くすることができ、結果として、稼働率の向上や収益率の向上を図ることができる。
【発明を実施するための最良の形態】
【００１１】
以下、本発明を適用した自動プリントサービス装置を図面を参照して説明する。
【００１２】
図１に示すように、本発明を適用した自動プリントサービス装置１は、例えば公園、駅等に設置されるキオスク端末であり、ユーザが持参したメモリカード、ＩＣカード等の記録媒体に記録されている画像データを印刷するサービスを提供する装置である。この自動プリントサービス装置１は、図１に示すように、外筐を構成する装置本体２を有し、この装置本体２には、各種操作ボタンや記録媒体に記録された画像データを表示する表示操作部３と、ユーザが持参した画像データが記録された記録媒体が挿入される記録媒体挿入口４と、印刷された写真が排出される取出口５と、所定のコインが投入される入金部６と、宣伝広告用の表示部７と、可聴音を放音するスピーカ８と、画像データを印刷する印刷部１０が設けられている。
【００１３】
表示操作部３は、例えば板状のセンサー部を備えたタブレットで構成され、表示部と操作部の機能を備えている。この表示操作部３には、例えば、記録媒体挿入口４より記録媒体が挿入されると、挿入された記録媒体に記録された一又は複数の画像データが表示される。また、表示操作部３には、表示された画像データを選択する選択ボタン、印刷する記録紙のサイズを選択する選択ボタン、印刷する画像データのサイズを選択する選択ボタン、選択した画像データを印刷する印刷ボタン等が表示される。表示操作部３は、表示された各種ボタンが押されることによって、これを検出し、操作信号を発生する。
【００１４】
なお、表示操作部３に代わって、操作ボタン等を押しボタン等で構成し、押しボタン等で構成された操作部を、装置本体２の別の位置に設け、この表示操作部３が設けられる位置には、単にＬＣＤ（Liquid Crystal Display）やＣＲＴ（Cathode Ray Tube）で構成された表示部を設けるようにしても良い。
【００１５】
記録媒体挿入口４は、記録媒体９の種類に応じて複数設けられている。記録媒体挿入口４の内部には、挿入された記録媒体９が装着される装着部が設けられていると共に、装着部に装着された記録媒体から記録媒体９に記録されているユーザが所有する写真等の画像データを読み出す読出部１５が設けられている。記録媒体挿入口４は、装置本体２が対応する記録媒体９の種類が１種類であるときには一つとなる。また、この装置本体２に対応する記録媒体としては、メモリカード等のＩＣカード、光ディスク、ディスクカートリッジ等がある。
【００１６】
取出口５は、装置本体２に内蔵された印刷部１０から排出された画像データが印刷された写真が排出される。ここで、印刷部１０は、複数台のサーマルヘッドを用いた熱昇華型のプリンタで構成されており、ユーザによって選択された画像データを指定された指定されたサイズの記録紙に印刷する。なお、本発明では、インクジェット式のプリンタを適用しても良いが、ここでは、インクジェット式のプリンタより高画質印刷を行うことができる熱昇華型のプリンタを採用するようにしている。
【００１７】
印刷部１０は、第１の記録紙用の昇華型の第１のプリンタ１０ａと第２の記録紙用の第２のプリンタ１０ｂで構成されている。第１のプリンタ１０ａには、例えばＬサイズ（３．５インチ×５インチ）用の第１の記録紙が複数枚セットされる。また、第２のプリンタ１０ｂには、例えばＫＧサイズ（４インチ×６インチ）用の第２の記録紙が複数枚セットされる。
【００１８】
第１のプリンタ１０ａには、Ｌサイズのイエローインク、マゼンタインク、シアンインク、保護フィルムを１セットとして、これらが直列に設けられたインクリボンがセットされ、第２のプリンタ１０ｂには、ＫＧサイズのイエローインク、マゼンタインク、シアンインク、保護フィルムを１セットとして、これらが直列に設けられたインクリボンがセットされている。
【００１９】
入金部６は、コインメック機構を有し、課金処理を行う。例えば、写真サイズに応じて画像データを印刷する際の金額等が設定されており、コイン投入口より投入されたコインの金額等を検出し、投入金額が所定金額以上であるとき、印刷を許可する。また、ユーザが記録紙を第１の記録紙から第２の記録紙に変更したとき、割引処理を行う。
【００２０】
表示部７は、宣伝広告用として設けられており、ＬＣＤやＣＲＴで構成されている。また、スピーカ８は、表示操作部３と共に、次の操作等を可聴音でユーザに対して告知する。
【００２１】
以上のような自動プリントサービス装置１の回路構成について図２を参照して説明する。この自動プリントサービス装置１は、装置本体２の制御プログラム等が格納された制御用メモリ１１と、第１のプリンタ１０ａにセットされた第１の記録紙の残量データと第２のプリンタ１０ｂにセットされた第２の記録紙の残量データを管理する管理メモリ１２と、画像データ等で構成された広告データ等が格納される宣伝広告用メモリ１３と、全体の動作をプログラムに基づいて制御する制御部１４とがバス１６を介して接続されている。バス１６には、更に、表示操作部３、記録媒体挿入口４に設けられた記録媒体９からデータを読み出す読出部１５、印刷部１０、入金部６、表示部７、スピーカ８も接続されている。
【００２２】
管理メモリ１２に記録される第１の記録紙と第２の記録紙の残量データは、第１のプリンタ１０ａ及び第２のプリンタ１０ｂのインクリボンの使用量データに基づいて算出される。すなわち、第１及び第２のプリンタ１０ａ，１０ｂで使用されるインクリボンは、１枚の写真を印刷するにあたって、イエローインク、マゼンタインク、シアンインク、保護フィルムが、これら４つを１セットとして長尺フィルムに設けられており、このセット間に、検出マークが設けられている。第１及び第２のプリンタ１０ａ，１０ｂは、この検出マークを検出することで、インクリボンの残量を検出するようにしている。そこで、制御部１４は、第１及び第２のプリンタ１０ａ，１０ｂで生成されたインクリボンの残量データに基づいて、第１及び第２の記録紙１０１ａ，１０１ｂの使用枚数データを算出し、第１及び第２の記録１０１ａ，１０１ｂの最初の枚数データから使用枚数データを減じた残量データを、管理メモリ１２に記録する。また、この管理メモリ１２には、Ｌサイズの記録紙が所定枚数以下になったとき、ユーザに対してＫＧサイズを選択するように促す告知をするための閾値となる所定値データが記録されている。この所定値データは、例えば、第１のプリンタ１０ａにセットされる第１の記録紙の最大収容枚数が４００枚であるとき、２０枚程度である。
【００２３】
また、宣伝広告用メモリ１３には、印刷する画像データに対する付加データとして、テキストデータ、画像データ等で構成された宣伝広告用のデータが格納されている。後述のように、この自動プリントサービス装置１では、ＫＧサイズの第２の記録紙にＬサイズの画像データが印刷されることがある。また、２Ｌサイズの第２の記録紙に、Ｌサイズの記録紙が１枚しか印刷されないことがある。この場合、第２の記録紙には、画像データが印刷されない余白部分が設けられることになる。宣伝広告用メモリ１３に格納されている宣伝広告用のデータは、第２の記録紙の余白部分に印刷され、第２の記録紙に余白部分が設けられないようにしている。
【００２４】
ところで、日本等では、ＫＧサイズよりＬサイズの方が人気があり、したがって、Ｌサイズの第１の記録紙の方がＫＧサイズや２Ｌサイズの第２の記録紙より消費量が多い。そこで、この自動プリントサービス装置１では、Ｌサイズの第１の記録紙の残量が少なくなったとき、ユーザに対しＫＧサイズや２Ｌサイズの第２の記録紙で印刷を行うように促し、Ｌサイズの第１の記録紙の消費量とＫＧサイズの第２の記録紙の消費量とを均一化するようにしている。そこで、次に、第１のプリンタ１０ａにＬサイズの記録紙がセットされ、第２のプリンタ１０ｂにＫＧサイズの記録紙がセットされているときの自動プリントサービス装置１の動作を図３を参照して説明する。
【００２５】
先ず、自動プリントサービス装置１には、記録媒体挿入口４よりユーザが持参した記録媒体９が挿入される。すると、自動プリントサービス装置１の制御部１４は、装着部に装着された記録媒体９より読出部１５を介して画像データを読み出し、表示操作部３に、例えばサムネイル表示する。ユーザにより印刷する画像データが表示操作部３で選択されると、自動プリントサービス装置１の制御部１４は、図４に示すように、表示操作部３に、記録紙の選択画面を表示する。具体的に、この記録紙の選択画面では、「お好みのサイズを指で軽く触れて選択して下さい。」と表示される。また、選択画面には、Ｌサイズの記録紙を選択する第１の選択ボタン２０ａとＫＧサイズの記録紙を選択する第２の選択ボタン２０ｂが設けられる。表示操作部３は、第１の選択ボタン２０ａが押されたとき、第１の記録紙が選択されたことを示す選択データを発生し、第２の選択ボタン２０ｂが押されたとき、第２の記録紙が選択されたことを示す選択データを発生する。
【００２６】
ステップＳ１において、制御部１４は、表示操作部３より入力される選択データに基づいて、Ｌサイズの第１の記録紙が選択されたかＫＧサイズの第２の記録紙が選択されたかを判断する。制御部１４は、Ｌサイズの第１の記録紙が選択されたとき、ステップＳ２に進み、Ｌサイズの第１の記録紙が選択されなかったとき、すなわちＫＧサイズの第２の記録紙が選択されたとき、ＫＧサイズの記録紙にＫＧサイズの画像を印刷するためステップＳ１２に進む。
【００２７】
Ｌサイズの第１の記録紙が選択されたとき、制御部１４は、ステップＳ２において、管理メモリ１２より第１のプリンタ１０ａに残っている第１の記録紙の残量データＬを取得すると共に、第２のプリンタ１０ｂに残っている第２の記録紙の残量データＫＧを取得する。
【００２８】
ステップＳ３において、制御部１４は、管理メモリ１２より読み出した第１の記録紙の残量データＬが０であるかを判断し、第１の記録紙の印刷が可能であるかを判断する。制御部１４は、第１の記録紙の残量データが０でないとき、第１の記録紙の印刷が可能であるとして、ステップＳ４に進み、第１の記録紙の残量データが０のとき、第１の記録紙を用いた印刷が不可能であり、ユーザに対してＫＧサイズの第２の記録紙で印刷をするかの判断を求めるため、ステップＳ１０に進む。
【００２９】
ステップＳ４において、制御部１４は、管理メモリ１２より取得した第１の記録紙の残量データＬが管理メモリ１２に予め格納されている所定値データＮ以下であるかを判断する。例えば、第１の記録紙の残量データが２０枚以下であるかを判断する。制御部１４は、第１の記録紙の残量データＬが所定値データＮ以下でないとき、第１の記録紙がまだ多く残っているとして、ステップＳ５に進み、ユーザの選択通りの第１の記録紙にユーザが選択した画像データをＬサイズで印刷する。また、制御部１４は、第１の記録紙の残量データＬが所定値データＮ以下のとき、ＫＧサイズの第２の記録紙に印刷を行うようにするため、ステップＳ６に進む。
【００３０】
第１の記録紙の残量データＬが所定値データＮ以下でないとき、制御部１４は、ステップＳ５において、第１のプリンタ１０ａを駆動し、Ｌサイズの第１の記録紙にＬサイズの画像データを印刷する。
【００３１】
制御部１４は、ステップＳ６において、管理メモリ１２より読み出した第２の記録紙の残量データＫＧが０であるかを判断し、第２の記録紙での印刷が可能であるかを判断する。制御部１４は、第２の記録紙の残量データＫＧが０であるとき、第２の記録紙での印刷が不可能であるため、ステップＳ５に進み、Ｌサイズの第１の記録紙で印刷を行うようにする。また、制御部１４は、第２の記録紙の残量データＫＧが０でないとき、第２の記録紙の印刷が可能であるとしてステップＳ７に進む。
【００３２】
ステップＳ７において、制御部１４は、表示操作部３でユーザに対してＫＧサイズの第２の記録紙を選択するように促す勧誘表示を行う。具体的に、勧誘画面では、図５に示すように、ユーザの記録紙の選択結果を知らせるため「お客様が選択したサイズはＬサイズです。」と表示される。また、勧誘画面では、ＫＧサイズの第２の記録紙を選択するように促すため、「もっと大きなＫＧサイズでプリントしませんか？」と表示されると共に、第２の記録紙を選択した場合の特典として、「今なら、半額でＫＧサイズにできます。」と表示される。更に、勧誘画面では、記録紙の変更を行わずＬサイズの第１の記録紙のままで印刷を行うことを確認するための確認ボタン２１ａと、ＫＧサイズの第２の記録紙に変更することを許可する許可ボタン２１ｂが設けられている。表示操作部３は、選択ボタン２１ａが押されたとき、第１の記録紙が選択されたことを示す確認データを発生し、許可ボタン２１ｂが押されたとき、第１の記録紙から第２の記録紙への変更を許可する許可データを発生する。
【００３３】
ステップＳ８において、制御部１４は、ＫＧサイズの第２の記録紙が選択されたかどうかを判断する。具体的に、制御部１４は、表示操作部３より記録紙の変更を行わずＬサイズの第１の記録紙のままで印刷を行うことを示す確認データが入力されたとき、ＫＧサイズの第２の記録紙が選択されなかったとしてステップＳ５に進み、Ｌサイズの第１の記録紙に選択された画像データを印刷する。また、制御部１４は、表示操作部３より第１の記録紙から第２の記録紙への変更を許可する許可データが入力されたとき、ＫＧサイズの第２の記録紙に変更があったとして、ステップＳ９に進む。
【００３４】
ステップＳ９において、制御部１４は、ＫＧサイズの第２の記録紙を用いた印刷を行うにあたって、例えば半額に割り引く割引処理を行う。これは、第１の記録紙が残り少なくなったことを理由に、本来ユーザが希望したＬサイズの第１の記録紙をＫＧサイズの第２の記録紙に変更したためである。
【００３５】
次いで、制御部１４は、第２の記録紙に印刷する画像のサイズを選択するための選択画面を表示する。具体的に、図６に示すように、この選択画面には、選択された記録紙の確認のため「お客様が選択したサイズがＫＧサイズです。」と表示される。また、選択画面には、印刷される画像、すなわち写真のサイズを決定するため「ＫＧサイズの記録紙に写真をＬサイズで印刷しますか。」と表示されると共に、写真をＬサイズに決定するための選択ボタン２２ａと写真をＫＧサイズに決定するための選択ボタン２２ｂが表示される。表示操作部３は、選択ボタン２２ａが押されたとき、写真サイズをＬサイズとする決定データを発生し、選択ボタン２２ｂが押されたとき、写真サイズをＫＧサイズとする決定データを発生する。
【００３６】
制御部１４は、ステップＳ１０において、何れの写真サイズが選択されたかを判断する。具体的に、制御部１４は、表示操作部３より写真サイズをＬサイズとする決定データが入力されたとき、ＫＧサイズの第２の記録紙にＬサイズの画像データを印刷するためステップＳ１１に進み、表示操作部３より写真サイズをＫＧサイズとする決定データが入力されたとき、ＫＧサイズの第２の記録紙にＫＧサイズの画像データを印刷するためステップＳ１２に進む。
【００３７】
なお、ステップＳ３においてＬサイズの記録紙の残量が０と判断されたときにも、制御部１４は、上記図６に示した選択画面を表示し、ステップＳ１０において、何れの写真サイズが選択されたかを判断する。ユーザの最初の希望は、Ｌサイズの第１の記録紙にＬサイズの画像データを印刷することであるから、ユーザが、ＫＧサイズの第２の記録紙に画像データを印刷する際、Ｌサイズを希望することもあるからである。
【００３８】
制御部１４は、ＫＧサイズの第２の記録紙にＬサイズの画像を印刷することが選択されたとき、ステップＳ１１において、第２のプリンタ１０ｂを駆動し、ＫＧサイズの第２の記録紙にＬサイズの画像データを印刷する。また、第２の記録紙にＬサイズの画像データを印刷するときには、第２の記録紙の大きさよりＬサイズの画像データの大きさが小さいことから、余白部分が発生する。そこで、制御部１４は、宣伝広告用メモリ１３より宣伝広告用データを読み出し、第２のプリンタ１０ｂでユーザが選択した画像データを印刷するときに、第２の記録紙の余白部分に読み出した宣伝広告用のデータを印刷する。
【００３９】
なお、このステップＳ１１の場合、ユーザによっては不要となることもある宣伝広告用のデータが第２の記録紙に印刷されることになる。そこで、制御部１４は、ユーザが余白部分に宣伝広告用のデータの印刷を許可したときには更に入金部６でステップＳ９の割引処理とは別の割引処理を行うようにしても良い。
【００４０】
また、制御部１４は、ＫＧサイズの第２の記録紙にＫＧサイズの画像を印刷することが選択されたとき、ステップＳ１２において、第２のプリンタ１０ｂを駆動し、ＫＧサイズの第２の記録紙にＫＧサイズの画像データを印刷する。ステップＳ１２の処理は、第２の記録紙に印刷を行う際の標準的な処理であり、従って、ステップＳ１において、ユーザによりＫＧサイズの第２の記録紙が選択されたとき、第２の記録紙の残量データＫＧが０でないことを確認した後にも行われる。この場合、第２の記録紙の残量データＫＧが０のときには、エラー処理がなされる。
【００４１】
ステップＳ１３において、制御部１４は、ユーザにより選択された画像データの印刷が全て完了したかを判断し、終了したとき、処理を終了し、終了していないとき、ステップＳ２以降の処理を繰り返す。
【００４２】
以上のような処理によれば、第１のプリンタ１０ａにＬサイズの第１の記録紙がセットされ、第２のプリンタ１０ｂにＫＧサイズの第２の記録紙がセットされているときに、第１の記録紙の残量が少なくなったとき、第２の記録紙をユーザが選択するように促すことができることから、消費量の少ないＫＧサイズの記録紙の消費量を増やすことができ、Ｌサイズの第１の記録紙の消費量に第２の記録紙の消費量を近づけることができる。これにより、自動プリントサービス装置１の記録紙を補充するためのメンテナンスの回数を減らすことができ、結果として、自動プリントサービス装置１の稼働率の向上を図ることができる。
【００４３】
以上の例では、第１のプリンタ１０ａにＬサイズの記録紙をセットし、第２のプリンタ１０ｂにＫＧサイズの第２の記録紙をセットした場合を説明したが、その他、第１のプリンタ１０ａにＬサイズの第１の記録紙をセットし、第２のプリンタ１０ｂに２Ｌサイズの第２の記録紙をセットするようにしても良い。ここで、Ｌサイズの記録紙と２Ｌサイズの記録紙の関係を図７を参照して説明する。第１の記録紙であるＬサイズの記録紙１０１ａは、３．５インチ×５インチの大きさであり、第２の記録紙である２Ｌサイズの記録紙１０１ｂは、５インチ×７インチである。すなわち、Ｌサイズの記録紙１０１ａと２Ｌサイズの記録紙１０１ｂとは、一辺が同じ長さである（Ｗ１＝Ｗ２）。また、Ｌサイズの記録紙１０１ａの他辺は、２Ｌサイズの記録紙１０１ｂの他辺の１／２の長さである。したがって、２Ｌサイズの記録紙１０１ｂには、Ｌサイズの画像を２枚印刷することができる。なお、本発明では、第２の記録紙の他辺の長さがＬサイズの他辺の３倍以上（但し、整数倍）であっても良い。例えば、第２の記録紙の他辺の長さがＬサイズの他辺の３倍であるとき、Ｌサイズの画像データが３枚印刷されることになる。
【００４４】
次に、第１のプリンタ１０ａにＬサイズの記録紙をセットし、第２のプリンタ１０ｂにＫＧサイズの第２の記録紙をセットした場合の自動プリントサービス装置１の動作を図８を参照して説明する。
【００４５】
自動プリントサービス装置１には、記録媒体挿入口４よりユーザが持参した記録媒体９が挿入される。すると、自動プリントサービス装置１の制御部１４は、装着部に装着された記録媒体９より読出部１５を介して画像データを読み出し、表示操作部３に、例えばサムネイル表示する。ユーザにより印刷する画像データが表示操作部３で選択されると、自動プリントサービス装置１の制御部１４は、表示操作部３に記録紙の選択画面を表示する。ステップＳ２１において、制御部１４は、表示操作部３より入力される選択データに基づいて、Ｌサイズの第１の記録紙が選択されたか２Ｌサイズの第２の記録紙が選択されたかを判断する。そして、制御部１４は、Ｌサイズの第１の記録紙が選択されたとき、ステップＳ２２に進み、２Ｌサイズの第２の記録紙が選択されたとき、２Ｌサイズの記録紙に２Ｌサイズの画像を印刷するためステップＳ３１に進む。
【００４６】
Ｌサイズの第１の記録紙が選択されたとき、制御部１４は、ステップＳ２２において、管理メモリ１２より第１のプリンタ１０ａに残っている第１の記録紙の残量データＬを取得すると共に、第２のプリンタ１０ｂに残っている第２の記録紙の残量データ２Ｌを取得する。
【００４７】
ステップＳ２３において、制御部１４は、管理メモリ１２より読み出した第１の記録紙の残量データＬが０であるかを判断し、第１の記録紙の印刷が可能であるかを判断する。制御部１４は、第１の記録紙の残量データが０でないとき、第１の記録紙の印刷が可能であるとして、ステップＳ２４に進み、第１の記録紙の残量データが０のとき、第１の記録紙を用いた印刷が不可能であり、ユーザに対して２Ｌサイズの第２の記録紙で印刷をするかの判断を求めるため、ステップＳ３０に進む。
【００４８】
ステップＳ２４において、制御部１４は、管理メモリ１２より取得した第１の記録紙の残量データＬが管理メモリ１２に予め格納されている所定値データＮ以下であるかを判断する。制御部１４は、第１の記録紙の残量データＬが所定値データＮ以下でないとき、第１の記録紙がまだ多く残っているとして、ステップＳ２５に進み、ユーザの選択通りの第１の記録紙にユーザが選択した画像データをＬサイズで印刷する。また、制御部１４は、第１の記録紙の残量データＬが所定値データＮ以下のとき、２Ｌサイズの第２の記録紙に印刷を行うようにするため、ステップＳ２６に進む。
【００４９】
第１の記録紙の残量データＬが所定値データＮ以下でないとき、制御部１４は、ステップＳ２５において、第１のプリンタ１０ａを駆動し、Ｌサイズの第１の記録紙にＬサイズの画像データを印刷する。
【００５０】
制御部１４は、ステップＳ２６において、管理メモリ１２より読み出した第２の記録紙の残量データ２Ｌが０であるかを判断し、第２の記録紙での印刷が可能であるかを判断する。制御部１４は、第２の記録紙の残量データ２Ｌが０であるとき、第２の記録紙での印刷が不可能であるため、ステップＳ２５に進み、Ｌサイズの第１の記録紙で印刷を行うようにする。また、制御部１４は、第２の記録紙の残量データ２Ｌが０でないとき、第２の記録紙の印刷が可能であるとしてステップＳ２７に進む。
【００５１】
ステップＳ２７において、制御部１４は、表示操作部３でユーザに対して２Ｌサイズの第２の記録紙を選択するように促す勧誘表示を行う。ステップＳ２８において、制御部１４は、２Ｌサイズの第２の記録紙が選択されたかどうかを判断する。制御部１４は、表示操作部３より記録紙の変更を行わずＬサイズの第１の記録紙のままで印刷を行うことを示す確認データが入力されたとき、２Ｌサイズの第２の記録紙が選択されなかったとしてステップＳ２５に進み、Ｌサイズの第１の記録紙に選択された画像データを印刷する。また、制御部１４は、表示操作部３より第１の記録紙から第２の記録紙への変更を許可する許可データが入力されたとき、２Ｌサイズの第２の記録紙に変更があったとして、ステップＳ２９に進む。
【００５２】
ステップＳ２９において、制御部１４は、２Ｌサイズの第２の記録紙を用いた印刷を行うにあたって、例えば半額に割り引く割引処理を行う。これは、第１の記録紙が残り少なくなったことを理由に、本来ユーザが希望したＬサイズの第１の記録紙を２Ｌサイズの第２の記録紙に変更したためである。
【００５３】
ステップＳ３０において、制御部１４は、２Ｌサイズの第２の記録紙に印刷する画像のサイズを選択するための選択画面を表示する。制御部１４は、Ｌサイズ、２Ｌサイズの何れの写真サイズが選択されたかを判断する。制御部１４は、表示操作部３より写真サイズを２Ｌサイズとする決定データが入力されたとき、２Ｌサイズの第２の記録紙に２Ｌサイズの画像データを印刷するためステップＳ３１に進む。また、制御部１４は、表示操作部３より写真サイズをＬサイズとする決定データが入力されたとき、２Ｌサイズの第２の記録紙にＬサイズの画像データを印刷するためステップＳ３２に進む。
【００５４】
なお、ステップＳ２３においてＬサイズの記録紙の残量が０と判断されたときにも、制御部１４は、ステップＳ３０において、何れの写真サイズが選択されたかを判断する。ユーザの最初の希望は、Ｌサイズの第１の記録紙にＬサイズの画像データを印刷することであるから、ユーザが、２Ｌサイズの第２の記録紙に画像データを印刷する際、Ｌサイズの画像データを希望することもあるからである。
【００５５】
制御部１４は、２Ｌサイズの第２の記録紙に２Ｌサイズの画像を印刷することが選択されたとき、ステップＳ３１において、第２のプリンタ１０ｂを駆動し、２Ｌサイズの第２の記録紙に２Ｌサイズの画像データを印刷する。ステップＳ３１の処理は、第２の記録紙に印刷を行う際の標準的な処理であり、従って、ステップＳ２１において、ユーザにより２Ｌサイズの第２の記録紙が選択されたとき、第２の記録紙の残量データ２Ｌが０でないことを確認した後にも行われる。この場合、第２の記録紙の残量データ２Ｌが０のときには、エラー処理がなされる。
【００５６】
制御部１４は、２Ｌサイズの第２の記録紙にＬサイズの画像を印刷することが選択されたとき、ステップＳ３２において、ユーザにより選択された画像データが残り１枚であるかどうかを判断する。図７に示すように、２Ｌサイズの第２の記録紙は、Ｌサイズの画像データを２枚印刷することができる大きさだからである。そして、制御部１４は、印刷するＬサイズの画像データが残り１枚でないとき、すなわち複数枚あるとき、ステップＳ３３に進む。制御部１４は、ステップＳ３３において、第２のプリンタ１０ｂを駆動し、２Ｌサイズの第２の記録紙にＬサイズの画像データを２枚並べて印刷する。この場合、ユーザの手によって、２Ｌサイズの記録紙がＬサイズに切断されることになる。
【００５７】
なお、ステップＳ３３の処理は、ユーザが希望したＬサイズの第１の記録紙を２Ｌサイズの第２の記録紙に変更した場合に該当するから、更に入金部６でステップＳ２９の割引処理とは別の割引処理を行うようにしても良い。
【００５８】
また、制御部１４は、ステップＳ３２において、印刷するＬサイズの画像データが残り１枚のとき、ステップＳ３４に進む。ステップＳ３４において、制御部１４は、第２のプリンタ１０ｂを駆動し、２Ｌサイズの第２の記録紙にＬサイズの画像データを印刷する。第２の記録紙にＬサイズの画像データを印刷するときには、第２の記録紙の大きさよりＬサイズの画像データの大きさが小さいことから、第２の記録紙の半分程度が余白部分となる。そこで、制御部１４は、宣伝広告用メモリ１３より宣伝広告用データを読み出し、第２のプリンタ１０ｂでユーザが選択した画像データを印刷するときに、第２の記録紙の余白部分に読み出した宣伝広告用のデータを印刷する。
【００５９】
なお、このステップＳ３４の場合、ユーザによっては不要となることもある宣伝広告用のデータが第２の記録紙に印刷されることになる。そこで、制御部１４は、ユーザが余白部分に宣伝広告用のデータの印刷を許可したときには更に入金部６でステップＳ２９の割引処理とは別の割引処理を行うようにしても良い。
【００６０】
ステップＳ３５において、制御部１４は、ユーザにより選択された画像データの印刷が全て完了したかを判断し、終了したとき、処理を終了し、終了していないとき、ステップＳ２２以降の処理を繰り返す。
【００６１】
以上のような処理によれば、第１のプリンタ１０ａにＬサイズの第１の記録紙がセットされ、第２のプリンタ１０ｂに２Ｌサイズの第２の記録紙がセットされているときに、第１の記録紙の残量が少なくなったとき、第２の記録紙をユーザが選択するように促すことができることから、消費量の少ない２Ｌサイズの記録紙の消費量を増やすことができ、Ｌサイズの第１の記録紙の消費量に第２の記録紙の消費量を近づけることができる。これにより、自動プリントサービス装置１の記録紙を補充するためのメンテナンスの回数を減らすことができ、結果として、自動プリントサービス装置１の稼働率の向上を図ることができる。
【００６２】
以上の例では、図３のステップＳ３及びステップＳ４並びに図８のステップＳ２３及びステップＳ２４に示すように、Ｌサイズの第１の記録紙の残量が０でなく所定値Ｎ以下のとき、ＫＧサイズや２Ｌサイズの第２の記録紙で印刷するように告知する場合を説明したが、本発明は、Ｌサイズの第１の記録紙の残量が０のとき、ＫＧサイズや２Ｌサイズの第２の記録紙で印刷するように告知するようにしても良い。この例を、図９を参照して説明する。なお、図９に示す例では、第１のプリンタ１０ａにＬサイズの記録紙がセットされ、第２のプリンタ１０ｂにＫＧサイズがセットされている場合を説明する。
【００６３】
自動プリントサービス装置１には、記録媒体挿入口４よりユーザが持参した記録媒体９が挿入される。すると、自動プリントサービス装置１の制御部１４は、装着部に装着された記録媒体９より読出部１５を介して画像データを読み出し、表示操作部３に、例えばサムネイル表示する。ユーザにより印刷する画像データが表示操作部３で選択されると、自動プリントサービス装置１の制御部１４は、表示操作部３に記録紙の選択画面を表示する。ステップＳ４１において、制御部１４は、表示操作部３より入力される選択データに基づいて、Ｌサイズの第１の記録紙が選択されたかＫＧサイズの第２の記録紙が選択されたかを判断する。そして、制御部１４は、Ｌサイズの第１の記録紙が選択されたとき、ステップＳ４２に進み、ＫＧサイズの第２の記録紙が選択されたとき、ＫＧサイズの記録紙にＫＧサイズの画像を印刷するためステップＳ５１に進む。
【００６４】
Ｌサイズの第１の記録紙が選択されたとき、制御部１４は、ステップＳ４２において、管理メモリ１２より第１のプリンタ１０ａに残っている第１の記録紙の残量データＬを取得すると共に、第２のプリンタ１０ｂに残っている第２の記録紙の残量データＫＧを取得する。
【００６５】
ステップＳ４３において、制御部１４は、管理メモリ１２より読み出した第１の記録紙の残量データＬが０であるかを判断し、第１の記録紙の印刷が可能であるかを判断する。制御部１４は、第１の記録紙の残量データが０でないとき、第１の記録紙の印刷が可能であるとして、ステップＳ４４に進み、第１の記録紙の残量データが０のとき、第１の記録紙を用いた印刷が不可能であり、ユーザに対してＫＧサイズの第２の記録紙で印刷をするかの判断を求めるため、ステップＳ４５に進む。
【００６６】
第１の記録紙の残量データＬが０でないとき、すなわちＬサイズの第１の記録紙に残りがあるとき、制御部１４は、ステップＳ４４において、第１のプリンタ１０ａを駆動し、Ｌサイズの第１の記録紙にＬサイズの画像データを印刷する。
【００６７】
制御部１４は、ステップＳ４５において、管理メモリ１２より読み出した第２の記録紙の残量データＫＧが０であるかを判断し、第２の記録紙での印刷が可能であるかを判断する。制御部１４は、第２の記録紙の残量データＫＧが０であるとき、第２の記録紙での印刷が不可能であるため、ステップＳ４９に進み、エラー処理を行う。この場合、第１の記録紙も第２の記録紙も用紙切れの状態にあり印刷が不能な状態にあるからである。また、制御部１４は、第２の記録紙の残量データ２Ｌが０でないとき、第２の記録紙の印刷が可能であるとしてステップＳ４６に進む。
【００６８】
ステップＳ４６において、制御部１４は、表示操作部３でユーザに対してＫＧサイズの第２の記録紙を選択するように促す勧誘表示を行う。ステップＳ４７において、制御部１４は、ＫＧサイズの第２の記録紙が選択されたかどうかを判断する。制御部１４は、ＫＧサイズの第２の記録紙に印刷を行わない旨の確認データが入力されたとき、ステップＳ４９に進み、エラー処理を行う。ユーザが希望する第１の記録紙は用紙切れの状態にあるからである。また、制御部１４は、表示操作部３より第１の記録紙から第２の記録紙への変更を許可する許可データが入力されたとき、ＫＧサイズの第２の記録紙に変更があったとして、ステップＳ４８に進む。
【００６９】
ステップＳ４８において、制御部１４は、ＫＧサイズの第２の記録紙を用いた印刷を行うにあたって、例えば半額に割り引く割引処理を行う。これは、第１の記録紙が用紙切れであることを理由に、本来ユーザが希望したＬサイズの第１の記録紙での印刷を行うことができないからである。
【００７０】
ステップＳ５０において、制御部１４は、ＫＧサイズの第２の記録紙に印刷する画像のサイズを選択するための選択画面を表示する。制御部１４は、Ｌサイズ、ＫＧサイズの何れの写真サイズが選択されたかを判断する。制御部１４は、表示操作部３より写真サイズをＫＧサイズとする決定データが入力されたとき、ＫＧサイズの第２の記録紙にＫＧサイズの画像データを印刷するためステップＳ５１に進む。また、制御部１４は、表示操作部３より写真サイズをＬサイズとする決定データが入力されたとき、ＫＧサイズの第２の記録紙にＬサイズの画像データを印刷するためステップＳ５２に進む。
【００７１】
制御部１４は、ＫＧサイズの第２の記録紙にＫＧサイズの画像を印刷することが選択されたとき、ステップＳ５１において、第２のプリンタ１０ｂを駆動し、ＫＧサイズの第２の記録紙にＫＧサイズの画像データを印刷する。ステップＳ５１の処理は、第２の記録紙に印刷を行う際の標準的な処理であり、従って、ステップＳ１において、ユーザによりＫＧサイズの第２の記録紙が選択されたとき、第２の記録紙の残量データＫＧが０でないことを確認した後にも行われる。この場合、第２の記録紙の残量データＫＧが０のときには、エラー処理がなされる。
【００７２】
また、制御部１４は、ＫＧサイズの第２の記録紙にＬサイズの画像を印刷することが選択されたとき、ステップＳ５２において、第２のプリンタ１０ｂを駆動し、ＫＧサイズの第２の記録紙にＬサイズの画像データを印刷する。また、第２の記録紙にＬサイズの画像データを印刷するときには、第２の記録紙の大きさよりＬサイズの画像データの大きさが小さいことから、余白部分が発生する。そこで、制御部１４は、宣伝広告用メモリ１３より宣伝広告用データを読み出し、第２のプリンタ１０ｂでユーザが選択した画像データを印刷するときに、第２の記録紙の余白部分に読み出した宣伝広告用のデータを印刷する。
【００７３】
なお、このステップＳ５２の場合、ユーザによっては不要となることもある宣伝広告用のデータが第２の記録紙に印刷されることになる。そこで、制御部１４は、ユーザが余白部分に宣伝広告用のデータの印刷を許可したときには更に入金部６でステップＳ９の割引処理とは別の割引処理を行うようにしても良い。
【００７４】
ステップＳ５３において、制御部１４は、ユーザにより選択された画像データの印刷が全て完了したかを判断し、終了したとき、処理を終了し、終了していないとき、ステップＳ．４２以降の処理を繰り返す。
【００７５】
以上のような処理によれば、第１のプリンタ１０ａにＬサイズの第１の記録紙がセットされ、第２のプリンタ１０ｂにＫＧサイズの第２の記録紙がセットされているときに、第１の記録紙が用紙切れになったとき、第２の記録紙をユーザが選択するように促すことができることから、自動プリントサービス装置１が販売中止になることを防止することができる。これにより、自動プリントサービス装置１の第１の記録紙を補充するまでの間も自動プリントサービス装置１を稼働することができる。
【００７６】
なお、装置本体２内に配設する印刷部１０のプリンタの数は、上述の例で示した２台に限定されるものではない。すなわち、Ｌサイズ用のプリンタ１０ａ、２Ｌサイズ用のプリンタ１０ｂの他に、ＫＧサイズ用のプリンタと２ＫＧサイズ用のプリンタを設けても良い。また、第１の記録紙は、他の大きさの第２の記録紙より消費量の高い記録紙であれば、その大きさはＬサイズに限定されるものではない。例えば、第１の記録紙をＫＧサイズとし、第２の記録紙を２ＫＧサイズ（６インチ×８インチ）としても良い。更に、以上の例では、画像データが記録媒体９より入力される場合を説明したが、本発明では、ネットワークを介して他の装置から自動プリントサービス装置１に入力されるようにしても良い。
【図面の簡単な説明】
【００７７】
【図１】本発明を適用した自動プリントサービス装置の斜視図である。
【図２】上記自動プリントサービス装置の回路構成を示すブロック図である。
【図３】第１のプリンタにＬサイズの記録紙がセットされ第２のプリンタにＫＧサイズの記録紙がセットされているときの自動プリントサービス装置の動作を示すフローチャートである。
【図４】記録紙の選択画面を示す図である。
【図５】第１の記録紙を選択したユーザに対してＫＧサイズの第２の記録紙を選択するように促す勧誘表示画面を示す図である。
【図６】第２の記録紙に印刷する画像のサイズを選択するための選択画面を示す図である。
【図７】Ｌサイズの記録紙と２Ｌサイズの記録紙の関係を示す図である。
【図８】第１のプリンタにＬサイズの記録紙がセットされ第２のプリンタに２Ｌサイズの記録紙がセットされているときの自動プリントサービス装置の動作を示すフローチャートである。
【図９】Ｌサイズの第１の記録紙の残量が０のとき、ＫＧサイズや２Ｌサイズの第２の記録紙で印刷するように告知するときの自動プリントサービス装置の動作を示すフローチャートである。
【符号の説明】
【００７８】
１  自動プリントサービス装置、２  装置本体、３  表示操作部、４  記録媒体挿入口、５  取出口、６  入金部、７  表示部、８  スピーカ、９  記録媒体、１０  印刷部、１０ａ  第１のプリンタ、１０ｂ  第２のプリンタ、１１  制御用メモリ、１２  管理用メモリ、１３  宣伝広告用メモリ、１４  制御部、１５  読出部、１６  バス
【図１】
2006051605.tif 000003
【図２】
2006051605.tif 000004
【図３】
2006051605.tif 000005
【図４】
2006051605.tif 000006
【図５】
2006051605.tif 000007
【図６】
2006051605.tif 000008
【図７】
2006051605.tif 000009
【図８】
2006051605.tif 000010
【図９】
2006051605.tif 000011